(57)【要約】【課題】表示光の有無に関わらず容易に観察モードとミラーモードとを切り替えることができる電気光学装置、及び当該電気光学装置を用いた電子機器を提供すること。【解決手段】液晶表示装置１は、表示面１６において表示を行う液晶表示モジュール２と、反射偏光子を内蔵したタッチパネルモジュール３とがヒンジ部４９によって連結されてなる。ヒンジ部４９は２軸ヒンジを構成する。液晶表示モジュール２内の偏光板の透過軸２８ｔと、タッチパネルモジュール３内の反射偏光子の透過軸９０ｔとは、タッチパネルモジュール３を閉じたときに、その表裏に応じて平行又は直交のいずれかの関係となる。上記２つの透過軸２８ｔ，９０ｔが平行となるときは表示面１６の表示が視認され、直交するときは表示光の有無に関わらず液晶表示装置１は鏡として機能する。【選択図】図３
2007304350.tif 000002
【特許請求の範囲】
【請求項１】
画像を表示する表示面側に偏光板を有する電気光学パネルを備えた第１の筐体と、
反射偏光子を備え、当該反射偏光子と平面的に重なる領域の少なくとも一部が透光性を有する平板状の第２の筐体と、
前記第１の筐体と前記第２の筐体とを連結するヒンジ部であって、前記表示面に平行な第１の軸を中心として可動させることにより、前記第２の筐体を、前記表示面を覆う閉位置と、前記表示面を外部へ露出させる開位置との間で開閉可能に支持するとともに、前記第１の軸に垂直でありかつ前記反射偏光子と平行な第２の軸を中心として前記第２の筐体を回転可能に支持するヒンジ部と、を備える電気光学装置であって、
前記偏光板の透過軸及び前記反射偏光子の透過軸は、前記第１の軸に平行な方向及び垂直な方向のいずれとも異なる向きに設定されていることを特徴とする電気光学装置。
【請求項２】
請求項１に記載の電気光学装置であって、
前記反射偏光子の透過軸は、前記第２の筐体が、当該第２の筐体の第１の面を外部に露出させた第１の閉位置にあるときには前記偏光板の透過軸と略平行となり、当該第２の筐体の第２の面を外部に露出させた第２の閉位置にあるときには前記偏光板の透過軸と略直交することを特徴とする電気光学装置。
【請求項３】
請求項２に記載の電気光学装置であって、
前記反射偏光子の透過軸及び前記偏光板の透過軸は、いずれも前記第１の軸に対して相対的に４５度の角度をなすことを特徴とする電気光学装置。
【請求項４】
請求項２に記載の電気光学装置であって、
前記電気光学パネルに光を入射させる照明装置を有し、
前記第２の筐体が前記第１の閉位置にある状態において、
前記照明装置から射出された光が前記電気光学パネルに入射し、前記第２の筐体を透過して観察される観察モードと、
前記照明装置から光が射出されず、観察側から前記反射偏光子に入射した光が前記反射偏光子で反射されて観察されるミラーモードと、を備えることを特徴とする電気光学装置。
【請求項５】
請求項１から４のいずれか一項に記載の電気光学装置であって、
前記第２の筐体は、前記反射偏光子に平行に配置された透光性を有する入力手段を備えることを特徴とする電気光学装置。
【請求項６】
請求項１から５のいずれか一項に記載の電気光学装置を有することを特徴とする電子機器。
【発明の詳細な説明】
【技術分野】
【０００１】
本発明は、液晶表示装置等といった電気光学装置に関する。また、本発明は、その電気光学装置を用いて構成される電子機器に関する。
【背景技術】
【０００２】
表示面側に偏光板を有する液晶表示装置等の電気光学装置においては、表示面に反射偏光子を重ねることで鏡（ミラー）としての機能を付加できることが知られている（例えば特許文献１参照）。すなわち、上記液晶表示装置において偏光板の透過軸と反射偏光子の透過軸とを平行に配置することにより、偏光板及び反射偏光子を透過した表示光を観察者に視認させる観察モードと、反射偏光子によって反射した外光を観察者に視認させるミラーモードとを切り替えて使用することができる。
【０００３】
【特許文献１】特開２００４−８５５９０号公報
【発明の開示】
【発明が解決しようとする課題】
【０００４】
しかしながら、上記液晶表示装置においてミラーモードを実現するためには、液晶表示装置内の補助光源を消灯するなどして表示光が反射偏光子に到達しないようにしなければならないという問題点がある。ミラーモードにおいて表示光があると、当該表示光が反射偏光子を透過して外光の反射光を打ち消してしまうからである。一方で、偏光板の透過軸と反射偏光子の透過軸とが直交するような配置とすれば、表示光の有無に関わらず常にミラーモードが実現されるが、この場合は偏光板を透過した表示光が反射偏光子を透過できずに表示が行えなくなってしまうという問題点がある。
【０００５】
以上の問題点に鑑みて、本発明の課題は、表示光の有無に関わらず容易に観察モードとミラーモードとを切り替えることができる電気光学装置、及び当該電気光学装置を用いた電子機器を提供することにある。
【課題を解決するための手段】
【０００６】
上記課題を解決するために、本発明の電気光学装置は、画像を表示する表示面側に偏光板を有する電気光学パネルを備えた第１の筐体と、反射偏光子を備え、当該反射偏光子と平面的に重なる領域の少なくとも一部が透光性を有する平板状の第２の筐体と、前記第１の筐体と前記第２の筐体とを連結するヒンジ部であって、前記表示面に平行な第１の軸を中心として可動させることにより、前記第２の筐体を、前記表示面を覆う閉位置と、前記表示面を外部へ露出させる開位置との間で開閉可能に支持するとともに、前記第１の軸に垂直でありかつ前記反射偏光子と平行な第２の軸を中心として前記第２の筐体を回転可能に支持するヒンジ部と、を備える電気光学装置であって、前記偏光板の透過軸及び前記反射偏光子の透過軸は、前記第１の軸に平行な方向及び垂直な方向のいずれとも異なる向きに設定されていることを特徴とする。
【０００７】
上記電気光学装置は、いわゆる２軸ヒンジを構成するヒンジ部を有するので、以下のような動作が可能である。すなわち、第２の筐体を、当該第２の筐体の第１の面を外部に露出させた第１の閉位置から第１の軸を中心として回転させることにより、開位置に位置させることができる。また、当該開位置から第２の筐体を第２の軸を中心に１８０度回転させれば、第２の筐体が表裏逆となった状態の開位置に位置させることができる。この状態から第１の軸を中心として回転させて第２の筐体を閉じれば、当該第２の筐体の第２の面を外部に露出させた第２の閉位置に位置させることができる。すなわち、第２の筐体は、第１の閉位置とすることもできるし、これとは表裏が逆の状態である第２の閉位置とすることもできる。
【０００８】
そして、第２の筐体に備えられた反射偏光子の透過軸と、第１の筐体に備えられた偏光板の透過軸は、第１の軸に平行な方向及び垂直な方向のいずれとも異なる向きに設定されていることから、上記２つの透過軸がなす相対角（２通りの相対角のうち、０度以上９０度以下のものを指す）は、第２の筐体が第１の閉位置にある場合と第２の閉位置にある場合とで必ず異なるようになる。ここで、第２の筐体を、上述した２通りの閉位置のうち上記相対角が小さくなる閉位置とすることにより、観察モードが実現される。これは、相対角が小さい場合は、偏光板を透過した電気光学パネルの表示光が反射偏光子を透過しやすく、観察者が表示光を視認しやすいためである。一方、第２の筐体を、相対角が大きくなる閉位置とすることにより、ミラーモードが実現される。これは、相対角が大きい場合は、偏光板を透過した表示光が反射偏光子で遮光（反射）されやすいため、表示光の有無にかかわらず、観察者が外光の反射偏光子による反射光を視認しやすいためである。したがって、観察者は、第２の筐体を第１の閉位置と第２の閉位置との間で変位させることによって、容易に観察モードとミラーモードとを切り替えることができる。このように、上記構成によれば、表示光の有無に関わらず容易に観察モードとミラーモードとを切り替えることができる電気光学装置が得られる。
【０００９】
上記電気光学装置において、前記反射偏光子の透過軸は、前記第２の筐体が、当該第２の筐体の第１の面を外部に露出させた第１の閉位置にあるときには前記偏光板の透過軸と略平行となり、当該第２の筐体の第２の面を外部に露出させた第２の閉位置にあるときには前記偏光板の透過軸と略直交することが好ましい。
【００１０】
このような構成によれば、第２の筐体が第１の閉位置にある場合（観察モードに対応）において電気光学パネルの表示光を最も効率良く取り出すことができるとともに、第２の筐体が第２の閉位置にある場合（ミラーモードに対応）において表示光を最も効率良く遮光（反射）し、外光の反射光の視認性を向上させることができる。すなわち、上記構成によれば、観察モード及びミラーモードのいずれについても良好な視認性を実現することができる。
【００１１】
上記電気光学装置において、前記反射偏光子の透過軸及び前記偏光板の透過軸は、いずれも前記第１の軸に対して相対的に４５度の角度をなすことが好ましい。
【００１２】
このような構成によれば、第２の筐体を第１の閉位置と第２の閉位置との間で変位させることによって、反射偏光子の透過軸と偏光板の透過軸とがなす相対角を、０度又は９０度のいずれかにすることができる。相対角が０度となる場合（観察モードに対応）において電気光学パネルの表示光を最も効率良く取り出すことができるとともに、相対角が９０度となる場合（ミラーモードに対応）において表示光を最も効率良く遮光（反射）し、外光の反射光の視認性を向上させることができる。すなわち、上記構成によれば、観察モード及びミラーモードのいずれについても良好な視認性を実現することができる。
【００１３】
上記電気光学装置においては、前記電気光学パネルに光を入射させる照明装置を有し、前記第２の筐体が前記第１の閉位置にある状態において、前記照明装置から射出された光が前記電気光学パネルに入射し、前記第２の筐体を透過して観察される観察モードと、前記照明装置から光が射出されず、観察側から前記反射偏光子に入射した光が前記反射偏光子で反射されて観察されるミラーモードと、を備えることが好ましい。
【００１４】
このような構成によれば、反射偏光子の透過軸と偏光板の透過軸とがなす相対角が小さくなるような閉位置に第２の筐体が位置している場合、すなわち観察モードに好適な場合においても、ミラーモードを実現することができる。
【００１５】
上記電気光学装置において、前記第２の筐体は、前記反射偏光子に平行に配置された透光性を有する入力手段を備えることが好ましい。
【００１６】
このような構成によれば、反射偏光子の透過軸と偏光板の透過軸とがなす相対角が小さくなるような閉位置に第２の筐体が位置している場合、すなわち観察モードに好適な場合に、電気光学パネルの表示を観察しながら入力手段による入力を行うことができる。
【００１７】
本発明の電子機器は、上記電気光学装置を有することを特徴とする。
【００１８】
このような構成の電子機器によれば、電気光学装置に含まれる第２の筐体を第１の閉位置と第２の閉位置との間で変位させることによって、表示光の有無に関わらず容易に観察モードとミラーモードとを切り替えることができる。
【発明を実施するための最良の形態】
【００１９】
以下、図面を参照し、本発明の実施形態について説明する。なお、以下に示す各図においては、各構成要素を図面上で認識され得る程度の大きさとするため、各構成要素の寸法や比率を実際のものとは適宜に異ならせてある。
【００２０】
（液晶表示装置の全体的な構成）
図１から図５は、いずれも本発明に係る電気光学装置としての液晶表示装置１の斜視図である。これらに示す液晶表示装置１は、第１の筐体としての液晶表示モジュール２と、第２の筐体としての平板状のタッチパネルモジュール３とを有する。液晶表示モジュール２は、その内部に電気光学パネルとしての液晶パネル４（図６参照）を含んでおり、タッチパネルモジュール３は、その内部に入力手段としてのタッチパネル３１（図７参照）を含んでいる。液晶表示モジュール２とタッチパネルモジュール３はヒンジ部４９によって連結されている。ヒンジ部４９は、いわゆる２軸ヒンジを構成する。
【００２１】
（液晶表示モジュール２の構成及び機能）
まず、液晶表示モジュール２について説明する。図６は、液晶表示モジュール２の一実施形態を分解状態で示している。この液晶表示モジュール２は、電気光学パネルとしての液晶パネル４と、液晶パネル４に付設された照明装置６と、液晶パネル４及び照明装置６を支持するフレーム８とを有する。液晶パネル４の１つの辺部には駆動用ＩＣ５が実装されている。また、駆動用ＩＣ５が実装された液晶パネル４の辺の辺端には配線基板としてのＦＰＣ（Flexible Printed Circuit）基板７が接続されている。
【００２２】
液晶表示モジュール２は、また、第１外装ケース９ａと第２外装ケース９ｂとを有し、これらは互いに結合して外装ケース９を構成する。そして、その外装ケース９の中に、液晶パネル４及び照明装置６がフレーム８によって支持された状態で収容される。この液晶表示モジュール２に関しては、矢印Ｃが描かれた側が観察側である。第１外装ケース９ａの端部にはヒンジ部４９の構成要素である第１ブラケット１９ａ及び第２ブラケット１９ｂが設けられている。
【００２３】
照明装置６は、光源としてのＬＥＤ（Light Emitting Diode）１１と、透光性の樹脂によって形成された導光体１２とを有する。ＬＥＤ１１から発生した光は導光体１２の光入射面１２ａを通して導光体１２の内部へ導入され、そして光射出面１２ｂから面状の光として外部へ射出される。矢印Ｃで示す観察側から見て導光体１２の背面には光反射層１３が設けられる。また、導光体１２の光射出面１２ｂには光拡散層１４が設けられる。照明装置６は、矢印Ｃで示す観察方向から見て液晶パネル４の裏側に配置されていて、バックライトとして機能する。なお、導光体１２の光射出面１２ｂの上には、必要に応じて、光拡散層１４以外の他の光学特性を備えた層を設けることもできる。また、光源は、ＬＥＤ１１以外の点状光源や、冷陰極管等といった線状光源によって構成することもできる。
【００２４】
液晶パネル４は、矢印Ｃで示す観察側から見て長方形又は正方形の第１基板２１と第２基板２２とを枠状のシール材２３によって貼り合わせて形成する。第１基板２１と第２基板２２との間には間隙、いわゆるセルギャップが形成され、その中に電気光学物質としての液晶が封入されて液晶層２４を構成する。
【００２５】
第１基板２１及び第２基板２２は、例えば、透光性のガラス、透光性のプラスチック等によって形成される。そして、第１基板２１の外側表面には、位相差板２７ａ及び偏光板２８ａが、それぞれ、貼着等によって装着される。また、第２基板２２の外側表面には、位相差板２７ｂ及び偏光板２８ｂが、それぞれ、貼着等によって装着される。なお、第１基板２１及び第２基板２２の表面には、必要に応じて、その他適宜の光学要素を用いることもできる。なお、偏光板２８ａが、本発明における「偏光板」に対応する。偏光板２８ａは、透過軸２８ｔ（図１参照）に平行な偏光成分を透過し、透過軸２８ｔに直交する偏光成分を吸収する光学部材である。
【００２６】
液晶パネル４は矢印Ｃで示す観察側の表面、すなわち表示面１６に文字、数字、図形等といった像を表示するものであり、その表示面１６のうち像が表示される領域が表示領域Ｖｏである。そのような液晶パネル４は、本実施形態の場合、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率を持つ液晶で成る垂直配向モード、その他の任意の液晶を用いることができる。また、採光方式でいえば、透過型、反射型、半透過反射型のいずれであっても良い。なお、本実施形態では、液晶パネル４に照明装置６を付設しているので、採光方式としては透過型又は半透過反射型ということになる。
【００２７】
単純マトリクス方式とは、各画素に能動素子を持たず、走査電極とデータ電極との交差部が画素又はドットに対応し、駆動信号が直接に印加されるマトリクス方式である。この方式に対する液晶モードとしては、ＴＮ又はＳＴＮが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００２８】
上記のような液晶パネル４において、カラー表示を行う場合には、第１基板２１又は第２基板２２にカラーフィルタが設けられる。カラーフィルタは、特定の波長域の光を選択的に透過するフィルタである。具体的には、３原色であるＢ（青色）、Ｇ（緑色）、Ｒ（赤色）の１色ずつを第１基板２１又は第２基板２２上の各ドットに対応させて所定の配列、例えばストライプ配列、デルタ配列、モザイク配列で並べる。
【００２９】
第２基板２２は、対向基板である第１基板２１の外側へ張り出す張出し部２５を有する。上記の駆動用ＩＣ５は、この張出し部２５の第１基板２１側の表面上に、例えばＡＣＦ（Anisotropic Conductive Film：異方性導電膜）２６を用いたＣＯＧ（Chip On Glass）技術によって実装される。駆動用ＩＣ５は、複数個、本実施形態では３個実装されている。これらの駆動用ＩＣ５は、液晶パネル４の電極に走査信号及びデータ信号を出力して液晶パネル４を駆動する。
【００３０】
ＦＰＣ基板７は、張出し部２５の辺端部に、例えばＡＣＦ２６を用いて接続される。このＦＰＣ基板７には、液晶パネル４を駆動するために必要となる複数の回路部品が実装され、さらに、各回路部品を接続して回路を構成する複数の配線がパターニングによって形成される。また、ＦＰＣ基板７には入力用端子７ａが設けられ、この入力用端子７ａに外部の入力用機器（例えば、携帯情報端末等といった電子機器の制御回路や、タッチパネル）の出力用端子が接続される。入力用機器から出力された信号は、ＦＰＣ基板７を介して液晶パネル４の駆動用ＩＣ５に入力され、液晶パネル４の表示に供される。
【００３１】
フレーム８は、照明装置収容部８ａと、液晶パネル係止片８ｂとを有する。このフレーム８は、例えば、プラスチックを材料として成形加工によって形成できる。照明装置収容部８ａは、フレーム８の内側に設けられた空間であり、この空間内に導光体１２が収容される。また、液晶パネル係止片８ｂは、フレーム８の四隅に設けられていて、矢印Ｃで示す観察側へ延びている。液晶パネル４は、これら液晶パネル係止片８ｂの内側に嵌合することにより、フレーム８に収容されて支持される。
【００３２】
第１外装ケース９ａは液晶パネル４の表示面１６を覆うように設けられる。この第１外装ケース９ａには開口１７が設けられ、液晶パネル４によって表示面１６内に実現される表示をこの開口１７を通して視認することができる。表示面１６内で表示が行われる領域が表示領域Ｖｏである。第２外装ケース９ｂは、矢印Ｃで示す観察側から見てフレーム８の裏側に設けられる。これら第１外装ケース９ａ及び第２外装ケース９ｂは、例えば、ステンレス鋼等といった金属によって形成される。
【００３３】
液晶表示モジュール２を製造する際には、上記の液晶パネル４及び照明装置６をフレーム８に収容し、ＦＰＣ基板７を矢印Ｄで示すように曲げて照明装置６の光反射層１３に当接又は近接させる。このように液晶パネル４と照明装置６とフレーム８とを組み立てた状態で、これらを第１外装ケース９ａと第２外装ケース９ｂとによって挟むようにして覆う。こうして、液晶表示モジュール２が形成される。
【００３４】
（タッチパネルモジュール３の構成及び機能）
次に、液晶表示装置１を構成するタッチパネルモジュール３について説明する。図７は、タッチパネルモジュール３を分解状態で示している。また、図８は、図７のＥ−Ｅ線に従った断面構造を示している。図７において、タッチパネルモジュール３は、入力手段としてのタッチパネル３１と、反射偏光子９０及びその保護部材９１と、第１外装ケース３２ａと、第２外装ケース３２ｂとを有する。タッチパネル３１の一辺には配線基板３４が接続されている。第１外装ケース３２ａと第２外装ケース３２ｂは互いに結合して入力手段用ケースとしての外装ケース３２を構成する。
【００３５】
タッチパネル３１は、矢印Ｆで示す入力側に位置する前基板４１と、入力側から見て前基板４１の背面側に位置する後基板４２とを有する。これらの基板４１，４２は、枠状の接着材４３によって貼り合わされている。前基板４１は、例えば、透光性のプラスチック等を用いて厚さ０．１〜０．２ｍｍ程度のフィルム状に形成される。また、後基板４２は、例えば、透光性のガラス、透光性のプラスチック等によって形成される。
【００３６】
前基板４１のうち後基板４２に対向する面には、平板状の面電極４４ａが設けられている。この面電極４４ａは、前基板４１の面積よりも少し小さい面積の入力領域Ｖｉ内の全域に均一な厚さで設けられている。この面電極４４ａの４辺のうちの互いに対向する一対の辺の近傍に、当該辺と略平行に一対の低抵抗電極４５ａが設けられている。
【００３７】
他方、後基板４２のうちの前基板４１に対向する面には、平板状の面電極４４ｂが設けられている。この面電極４４ｂは、前基板４１側の面電極４４ａと略同じ領域内の全域に均一な厚さで設けられている。この面電極４４ｂの４辺のうち前基板４１上の低抵抗電極４５ａが設けられた辺と直角の位置関係にある一対の辺の近傍に、当該辺と略平行に一対の低抵抗電極４５ｂが設けられている。
【００３８】
面電極４４ａ，４４ｂ及び低抵抗電極４５ａ，４５ｂは、例えば、ＩＴＯ（Indium Tin Oxide）等といった透光性の導電材を用いて形成される。前基板４１上で面電極４４ａが設けられた入力領域Ｖｉが、入力者すなわち観察者が、自らの指によって又は適宜の入力器具（図示せず）を用いて、位置を指示するために押す領域、すなわち入力領域である。
【００３９】
図８において、矢印Ｆで示す入力側（すなわち、図６において矢印Ｃで示す観察側）から見て遠い側の面電極４４ｂのうち近い側の面電極４４ａに対向する面の上には、ドット状の突起４６が複数個設けられている。これらの突起４６は面電極４４ｂの上にランダム（すなわち、無秩序）に設けられている。これらの突起４６は、面電極４４ａと面電極４４ｂとの隙間を維持するためのスペーサとして機能する。
【００４０】
後基板４２のうちの低抵抗電極４５ｂが設けられた側の辺の端部には配線基板３４が接続される。この配線基板３４は、例えば、ＦＰＣ基板等といった可撓性を持った基板によって形成される。この配線基板３４を介して低抵抗電極４５ｂに、例えばタッチパネル制御回路（図示せず）が接続される。このタッチパネル制御回路は電圧発生回路及び電圧測定回路を有する。本実施形態においてタッチパネル制御回路は図６のＦＰＣ基板７に実装される。したがって、図８の配線基板３４は、図６のＦＰＣ基板７の入力用端子７ａに接続される。
【００４１】
矢印Ｆで示す入力側から見て後基板４２の背面側には、反射偏光子９０及び保護部材９１がこの順に配置されている。反射偏光子９０は、入射した光のうち、透過軸９０ｔ（図７参照）に平行な偏光成分を透過し、透過軸９０ｔに直交する偏光成分を反射する光学部材である。保護部材９１は、透光性を有するプラスチックフィルムであり、反射偏光子９０を保護する役割を果たす。
【００４２】
図７において、第１外装ケース３２ａはタッチパネル３１の入力面３６を覆うように設けられる。この第１外装ケース３２ａには、タッチパネル３１の入力領域Ｖｉと同じか、それよりも少し広い面積の開口３３ａが設けられる。オペレータ、すなわち入力者は、その開口３３ａを通してタッチパネル３１の入力面３６の適所を押すことができる。また、第１外装ケース３２ａの端部には、図１のヒンジ部４９の構成要素である軸部材としてのピン３５ｂが設けられている。ピン３５ｂは、その軸が反射偏光子９０のなす平面と平行になるように設けられる。
【００４３】
第２外装ケース３２ｂは、タッチパネル３１を挟んで第１外装ケース３２ａの反対側に設けられる。この第２外装ケース３２ｂにも、タッチパネル３１の入力領域Ｖｉと同じか、それよりも少し広い面積の開口３３ｂが設けられる。この開口３３ｂと上記開口３３ａとの間の構成要素はいずれも透光性を有し、開口３３ａ（開口３３ｂ）に入射した光は、タッチパネルモジュール３の全体を透過して開口３３ｂ（開口３３ａ）から射出される。
【００４４】
なお、開口３３ａ，３３ｂの形状は、本実施形態に示すものに限られない。開口３３ａ，３３ｂは、反射偏光子９０と平面的に重なる領域の少なくとも一部に形成されていればよく、液晶表示装置１の用途に応じて種々の形状とすることができる。
【００４５】
第１外装ケース３２ａ及び第２外装ケース３２ｂは、例えば、金属、プラスチック等によって形成される。金属としては、例えばステンレス鋼を使用できる。第１外装ケース３２ａと第２外装ケース３２ｂとは、図８に示すように、互いに結合して１つの外装ケース３２を構成する。タッチパネル３１はその外装ケース３２の中に収容される。こうして、タッチパネルモジュール３が形成される。
【００４６】
図７において、配線基板３４にタッチパネル制御回路（図示せず）が接続されることは既述した。このタッチパネル制御回路は、後基板４２側の一対の低抵抗電極４５ｂ間に所定の電圧を印加するとともに前基板４１側の一対の低抵抗電極４５ａ間の電圧を測定する第１のタイミングと、前基板４１側の低抵抗電極４５ａ，４５ａ間に所定の電圧を印加するとともに後基板４２側の低抵抗電極４５ｂ，４５ｂ間の電圧を測定する第２のタイミングとを、互いに時間的に重ならないように個別に実現する。
【００４７】
上記の第１のタイミングにおいて、後側の面電極４４ｂには、図７中のｙ方向に沿って直線的に電圧が変化する均一な電圧降下が発生し、ｙ方向の座標位置が等しい部位同士は略同じ電位となるような電圧分布が形成される。このときに液晶表示モジュール２（図１参照）の表示領域Ｖｏに対応するタッチパネルモジュール３の入力領域Ｖｉ内において前基板４１内のある点状部位が押されると、前側の面電極４４ａと後側の面電極４４ｂとが点状領域で接触する。これにより、押された部位に対応する位置における面電極４４ｂの電圧を前側の面電極４４ａを通してタッチパネル制御回路によって測定することができる。この測定された電圧値は、前基板４１が押された部位のｙ方向の座標位置と相関しているため、タッチパネル制御回路は押された部位のｙ方向の位置を検出したことになる。
【００４８】
また、前側の低抵抗電極４５ａ間に所定の電圧を印加して後側の低抵抗電極４５ｂ間の電圧を測定する第２のタイミングが到来すると、前側の面電極４４ａにはｘ方向に沿って均一な電圧降下が発生し、直線的に電圧が変化する電圧部分が形成される。タッチパネル制御回路は、前基板４１が押された部位に対応する位置における前側の面電極４４ａの電圧を後側の面電極４４ｂを通して検出できる。これにより、押された部位のｘ方向の位置を検出できる。
【００４９】
上述したタッチパネル制御回路に関する第１のタイミングと第２のタイミングとを短時間の間で繰り返して切り換えることにより、タッチパネル制御回路は押された部位のｙ方向の位置座標及びｘ方向の位置座標を検出することができる。
【００５０】
（ヒンジ部４９の構成及び機能）
図１のヒンジ部４９は、図６において第１外装ケース９ａに設けられた第１ブラケット１９ａ、軸部材としてのピン３５ａを有する第２ブラケット１９ｂ、及び図７において第１外装ケース３２ａに設けられた軸部材としてのピン３５ｂによって形成される。図６において、第２ブラケット１９ｂには穴３７ｂが設けられている。この穴３７ｂに図７のピン３５ｂが嵌合することにより、タッチパネルモジュール３と液晶表示モジュール２とが連結される。
【００５１】
第１ブラケット１９ａには穴３７ａが設けられており、この穴３７ａに第２ブラケット１９ｂのピン３５ａが嵌合することにより、第１ブラケット１９ａと第２ブラケット１９ｂとが結合される。より詳しくは、第２ブラケット１９ｂは、図１に示す液晶表示モジュール２の表示面１６に平行な第１の軸Ｓ1を中心として第１ブラケット１９ａに対して回転可能に結合される。したがって、第２ブラケット１９ｂに結合されたタッチパネルモジュール３は、第１の軸Ｓ1を中心として液晶表示モジュール２に対して回転可能に連結される。タッチパネルモジュール３を液晶表示モジュール２に対して第１の軸Ｓ1を中心として相対的に回転させることにより、例えば図１に示す第１の閉位置や、図２に示す開位置に位置させることができる。
【００５２】
ここで、閉位置とは、タッチパネルモジュール３が液晶表示モジュール２の表示面１６を覆う位置をいい、そのうち第１の閉位置とは、液晶表示モジュール２の表示面１６を覆う位置であって、タッチパネルモジュール３の第１の面（図７において前基板４１が露出する側）が外部に露出した状態の閉位置をいう。以下では、タッチパネルモジュール３が閉位置（第１の閉位置）にあるときの液晶表示装置１の状態を閉状態（第１の閉状態）とも呼ぶ。また、開位置とは、液晶表示モジュール２の表示面１６が外部へ露出されるようなタッチパネルモジュール３の位置をいう。以下では、タッチパネルモジュール３が開位置にあるときの液晶表示装置１の状態を開状態とも呼ぶ。なお、図１から図５においては、タッチパネルモジュール３の表裏を判別するために、タッチパネルモジュール３の第１の面には符号Ａが、第２の面（図７において保護部材９１が露出する側）には符号Ｂが付されている。
【００５３】
上記した第２ブラケット１９ｂとピン３５ｂとは、ピン３５ｂの軸に平行な第２の軸Ｓ2（図６参照）を中心に回転可能に結合されている。したがって、タッチパネルモジュール３は、第２の軸Ｓ2を中心としても液晶表示モジュール２に対して回転可能に連結されている。例えば、タッチパネルモジュール３を図２に示す開位置から第２の軸Ｓ2を中心として回転させて、図３のような中間的な開位置に位置させることもできるし、図４に示すように、図２に対して表裏逆の状態の開位置に位置させることもできる。ここで、第２の軸Ｓ2は、第１の軸Ｓ1に対して常に垂直であるとともに、タッチパネルモジュール３内の反射偏光子９０の面に対して常に平行である。
【００５４】
さらに、図４の状態からタッチパネルモジュール３を第１の軸Ｓ1を中心に回転させて閉じれば、タッチパネルモジュール３を図５に示すような第２の閉位置に位置させることができる。ここで、第２の閉位置とは、タッチパネルモジュール３の第２の面が外部に露出した状態の閉位置をいう。また、以下では、タッチパネルモジュール３が第２の閉位置にあるときの液晶表示装置１の状態を第２の閉状態とも呼ぶ。
【００５５】
このように、タッチパネルモジュール３は、２つの回転軸を有する２軸ヒンジとしてのヒンジ部４９の機能によって、第１の閉位置、開状態、第２の閉位置の間で自由に位置を変えることができる。なお、ブラケット１９ａ，１９ｂ及びピン３５ａ，３５ｂの周りには、必要に応じて、その他の適宜の構成要素を付加的に設けることができる。また、ヒンジ部４９は本実施形態のような構造に限られず、必要に応じて種々の構造を採用できる。
【００５６】
（偏光板２８ａ及び反射偏光子９０の透過軸）
次に、偏光板２８ａ及び反射偏光子９０の透過軸について説明する。図１においては、偏光板２８ａの透過軸２８ｔ及び反射偏光子９０の透過軸９０ｔが、それぞれ破線の矢印及び実線の矢印で示されている。図１に示す第１の閉状態においては、透過軸２８ｔと透過軸９０ｔとは平行になっており、いずれも第１の軸Ｓ1に対して相対的に４５度の角度をなすように設定されている。
【００５７】
図２から図５においても、それぞれ透過軸２８ｔ，９０ｔが矢印で示されている。ここで、図５に示す第２の閉状態においては、透過軸２８ｔと透過軸９０ｔとは直交する。これは、第１の閉状態と第２の閉状態とでは、第２の軸Ｓ2を中心としてタッチパネルモジュール３が表裏逆となっているためである。
【００５８】
（液晶表示装置の全体的な動作）
以下、上記構成よりなる液晶表示装置１の動作について説明する。液晶表示装置１は、タッチパネルモジュール３を用いて入力を行いながら液晶表示モジュール２の表示面１６上の表示を観察する第１観察モードと、入力操作を行うことなく表示面１６の表示を観察するだけの第２観察モードと、入力や観察は行わずに鏡として使用するミラーモード等といった各種のモードの下で使用される。以下、各モードを個別に説明する。
【００５９】
（第１観察モード）
このモードを実現しようとする場合、観察者は、タッチパネルモジュール３を図１に示す第１の閉位置に置く。このとき、タッチパネル３１に電力が供給され、タッチパネル３１が電源オン状態となる。また、タッチパネルモジュール３の入力領域Ｖｉと液晶表示モジュール２の表示領域Ｖｏが互いに重なる位置関係となるとともに、偏光板２８ａの透過軸２８ｔと反射偏光子９０の透過軸９０ｔとは互いに平行となる。
【００６０】
ここで、図９を用いて、液晶表示装置１が図１に示す第１の閉状態にあるときの表示機能について説明する。図９は、液晶表示装置１の構成要素のうち、反射偏光子９０、液晶パネル４（特に偏光板２８ａ，２８ｂ）、照明装置６に着目し、これらの層間距離を拡大して示した模式図である。
【００６１】
図９（ａ）は、照明装置６が発光し、液晶パネル４による表示が行われている状態を示している。ここで、照明装置６を始点とし、他の構成要素を透過して描かれている白抜きの矢印９５は、照明装置６において発光した光及び液晶パネル４の表示光を表す。偏光板２８ａの透過軸２８ｔと反射偏光子９０の透過軸９０ｔとが互いに平行となることから、偏光板２８ａを透過した液晶パネル４の直線偏光の表示光は反射偏光子９０をそのまま透過し、観察者に視認される。一方、反射偏光子９０の表面で反射している白抜きの破線の矢印９６は、外光を表す。ただし、液晶パネル４の表示が行われているときは、その表示光が外光の反射光を打ち消すため、外光の反射光は視認されにくい。以上から、第１の閉状態において液晶パネル４による表示が行われている場合は、観察者は、液晶表示装置１の表示領域Ｖｏにおいて液晶パネル４による表示を視認する。
【００６２】
そして、観察者が何らかの入力操作を行う必要が生じた場合、観察者は、タッチパネルモジュール３を通して液晶表示モジュール２の表示を観察しながら、自らの指によって、あるいは適宜の入力器具を用いて、タッチパネルモジュール３の入力領域Ｖｉ内の所望の点状位置を押す。タッチパネルモジュール３内のタッチパネル３１（図７参照）は押された位置をｘ−ｙ座標内の位置として検出し、必要に応じてその検出結果を液晶表示モジュール２のための制御回路あるいは液晶表示装置１を制御するホスト制御部へ向けて出力する。
【００６３】
このように、第１観察モードでは、観察者は、液晶表示モジュール２の表示を観察することができるとともに、タッチパネルモジュール３を用いた入力を行うことができる。
【００６４】
一方、図９（ｂ）は、第１観察モードにありながら照明装置６が発光せず、液晶パネル４による表示が行われていないときの状態を示している。このとき、観察者は液晶パネル４からの光を視認せず、外光の反射偏光子９０による反射光のみを視認する。したがって、第１の閉状態において照明装置６が非発光となっている場合は、観察者は、液晶表示装置１の表示領域Ｖｏを鏡として認識する。すなわち、第１観察モードにおいて照明装置６を非発光とすることによって、入力や観察は行わずに液晶表示装置１を鏡として使用するミラーモードに移行することができる。
【００６５】
なお、液晶表示装置１をミラーモードに移行させるためには、照明装置６を非発光とする以外に、照明装置６を発光した上で液晶パネル４において黒表示等の低輝度の表示を行ってもよい。このとき、照明装置６からの光は液晶パネル４において大部分が遮光されるので、観察者は液晶パネル４からの光を視認せず、外光の反射偏光子９０による反射光のみを視認する。すなわち、液晶表示装置１の表示領域Ｖｏを鏡として認識する。また、液晶パネル４の一部の領域のみを低輝度の表示とし、その領域のみを部分的に鏡として機能させることもできる。
【００６６】
（第２観察モード）
このモードを実現しようとする場合、観察者は、タッチパネルモジュール３を図２から図４に示すような開位置に置く。このとき、タッチパネル３１（図７参照）への電力の供給が遮断され、タッチパネル３１が電源オフ状態となる。こうすると、液晶表示モジュール２の表示面１６が大きく開放されて外部へ露出する。観察者はこの状態で表示面１６に表示される像を観察する。このとき、観察者はタッチパネルモジュール３を通さずに直接表示面１６を観察することができるので、液晶表示モジュール２によって実現される表示を鮮明に視認できる。
【００６７】
また、開位置にあるタッチパネルモジュール３には反射偏光子９０が備えられているので、外光が当該反射偏光子９０によって反射される。このため、観察者はタッチパネルモジュール３を鏡として認識する。このように、第２観察モードにおいては、液晶表示モジュール２における表示を観察しながら、タッチパネルモジュール３を鏡として使用することもできる。
【００６８】
なお、第２観察モードにおいては必ずしも上記したようにタッチパネル３１の電源をオフにする必要はないが、電源オフ状態とすることでタッチパネル３１における電力の消費をより少なくすることができる。また、ヒンジ部４９は、タッチパネルモジュール３を開位置で固定して保持する機能を有することが望ましい。こうすれば、開位置に置かれたタッチパネルモジュール３を観察者が保持する必要が無くなる。
【００６９】
（ミラーモード）
液晶表示モジュール２及びタッチパネルモジュール３のどちらも使用しない場合、又は液晶表示装置を鏡として使用したい場合は、観察者は、タッチパネルモジュール３を図５に示す第２の閉位置へ置く。このとき、タッチパネル３１（図７参照）への電力の供給が遮断され、タッチパネル３１が電源オフ状態となる。また、偏光板２８ａの透過軸２８ｔと反射偏光子９０の透過軸９０ｔとが互いに直交する位置関係となる。
【００７０】
ここで、図１０を用いて、液晶表示装置１が図５に示す第２の閉状態にあるときの表示機能について説明する。図１０は、液晶表示装置１の構成要素のうち、反射偏光子９０、液晶パネル４（特に偏光板２８ａ，２８ｂ）、照明装置６に着目し、これらの層間距離を拡大して示した模式図である。
【００７１】
図１０に示すように、照明装置６からの発光（矢印９５）があり、当該光が液晶パネル４を透過している場合であっても、その光は反射偏光子９０によって遮光（反射）されるので観察者には視認されない。なお、照明装置６が非発光である場合は、観察者は当然に液晶パネル４からの光を視認しない。一方、反射偏光子９０に入射する外光（矢印９６）は、反射偏光子９０によって反射されて観察者に視認される。したがって、観察者は、液晶表示装置１の表示領域Ｖｏを鏡として認識する。このように、タッチパネルモジュール３を第２の閉位置においたミラーモードにおいては、照明装置６の発光又は非発光に関わらず、すなわち液晶パネル４の表示光の有無に関わらず、観察者は液晶表示装置１を鏡として使用することができる。
【００７２】
また、タッチパネルモジュール３は、液晶表示モジュール２の表示面１６を保護するためのカバーとしても機能する。
【００７３】
以上のように、観察者は、タッチパネルモジュール３を変位させることにより、上記各モードのうち任意のモードで液晶表示装置１を使用することができる。特に、照明装置６が常に発光して表示光がある場合であっても、タッチパネルモジュール３を第１の閉位置と第２の閉位置との間で変位させることにより、容易に観察モードとミラーモードとを切り替えることができる。当該切り替えに際し、液晶表示装置１の内部で照明装置６の発光／非発光を切り替える必要がないため、液晶表示装置１の回路構成を簡略化させることができる。
【００７４】
（電子機器）
以下、本発明に係る電子機器を実施形態を挙げて説明する。なお、この実施形態は本発明の一例を示すものであり、本発明はこの実施形態に限定されるものではない。
【００７５】
図１１は、本発明に係る電子機器の一実施形態をブロック図で示している。また、図１２は、図１１のブロック図で示す電子機器の一例である携帯情報端末機７０を示している。図１１に示す電子機器は、液晶表示装置１と、これを制御する制御回路６０とを有する。制御回路６０は、表示情報出力源６４、表示情報処理回路６６、電源回路６７及びタイミングジェネレータ６８によって構成される。そして、液晶表示装置１は、液晶パネル４及び駆動回路６５を備えた液晶表示モジュール２と、タッチパネル３１を備えたタッチパネルモジュール３とを有する。
【００７６】
表示情報出力源６４は、ＲＯＭ（Read Only Memory）やＲＡＭ（Random Access Memory）等といったメモリや、各種ディスク等といったストレージユニットや、ディジタル画像信号を同調出力する同調回路等を備え、タイミングジェネレータ６８により生成される各種のクロック信号に基づいて、所定フォーマットの画像信号等といった表示情報を表示情報処理回路６６に供給する。
【００７７】
表示情報処理回路６６は、増幅・反転回路や、ローテーション回路や、ガンマ補正回路や、クランプ回路等といった周知の各種回路を備え、入力した表示情報の処理を実行して、画像信号をクロック信号ＣＬＫとともに駆動回路６５へ供給する。ここで、駆動回路６５は、走査線駆動回路やデータ線駆動回路とともに、検査回路等を総称したものである。また、電源回路６７は、上記の各構成要素に所定の電源電圧を供給する。
【００７８】
図１１のブロック図に示した電子機器は、例えば、図１２（ａ）及び（ｂ）に示した携帯情報端末機７０として構成される。この携帯情報端末機７０は、上記した液晶表示モジュール２及びタッチパネルモジュール３を有する液晶表示装置１を内部に備えている。すなわち、携帯情報端末機７０は、液晶表示モジュール２を筐体の内側に備えた本体部７３と、タッチパネルモジュール３とがヒンジ部４９において開閉可能に支持されている。図１２（ａ）はタッチパネルモジュール３を開位置に置いた開状態を示しており、図１２（ｂ）はタッチパネルモジュール３を閉位置（第１の閉位置又は第２の閉位置）に置いた閉状態を示している。
【００７９】
ここで、タッチパネルモジュール３を用いて入力操作を行うか行わないかは、タッチパネルモジュール３を開閉することによって切替えられる。このため、図１１に示すように、この電子機器には、タッチパネルモジュール３の開閉状態を検出する開閉検出回路６９が含まれる。
【００８０】
図１２の携帯情報端末機７０において、タッチパネルモジュール３を用いて入力操作を行う場合には、図１２（ａ）の開位置から図１２（ｂ）の閉位置（第１の閉位置）へタッチパネルモジュール３を移動させる。こうすると、図１１の開閉検出回路６９によってタッチパネルモジュール３の閉状態が検出され、タッチパネル３１が動作して、例えば図１２（ｂ）の入力用ペン７８によって入力領域Ｖｉにおいて入力操作が可能になる。
【００８１】
一方、タッチパネルモジュール３を用いて入力を行わない場合には、図１２（ｂ）の閉位置から図１２（ａ）の開位置へタッチパネルモジュール３を移動させる。こうすると、図７の開閉検出回路６９によってタッチパネルモジュール３の開状態が検出され、タッチパネル３１（図７参照）の動作が終了する。なお、この携帯情報端末機７０における入力操作は、タッチパネル３１以外にも、本体部７３に設けられた入力用ボタン７６を用いて行うことができる。
【００８２】
携帯情報端末機７０においても、液晶表示装置１と同様に、タッチパネルモジュール３の位置によって各種モードを切り替えて使うことができる。すなわち、タッチパネルモジュール３を第１の閉位置に置くことによって第１観察モードとすることができ、タッチパネルモジュール３を開位置に置くことによって第２観察モードとすることができ、またタッチパネルモジュール３を第２の閉位置に置くことによってミラーモードとすることができる。
【００８３】
また、液晶表示装置１は、タッチパネルモジュール３を開状態に置くことによってタッチパネル３１のメンテナンス作業を容易に行うことができるようになっている。したがって、この液晶表示装置１を用いた図１２の携帯情報端末機７０においても、タッチパネルモジュール３を図１２（ａ）の開状態に置くことにより、メンテナンス作業を容易に行うことができる。
【００８４】
本発明の電子機器の実施形態としては、以上に説明した携帯情報端末機７０の他にも、携帯電話機、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００８５】
以上、本発明の実施形態について説明したが、上記実施形態に対しては、本発明の趣旨から逸脱しない範囲で様々な変形を加えることができる。変形例としては、例えば以下のようなものが考えられる。
【００８６】
（変形例１）
上記実施形態では、本発明の第２の筐体として、反射偏光子９０及びタッチパネル３１を有するタッチパネルモジュール３を用いている。しかしながら、液晶表示装置１が、表示光の有無に関わらず容易に観察モードとミラーモードとを切り替える機能を備えるためには、第２の筐体は少なくとも反射偏光子９０を有していればよい。
【００８７】
図１３に、タッチパネルモジュール３に代わる第２の筐体の他の態様である筐体３Ａの断面図を示す。この図に示すように、筐体３Ａは、前基板４１と後基板４２とに挟まれて配置された反射偏光子９０を有し、これらが第１外装ケース３２ａ及び第２外装ケース３２ｂからなる外装ケース３２の中に収容されてなる。前基板４１及び後基板４２は、いずれも透光性を有するガラス基板やプラスチック基板等から構成できる。反射偏光子９０の透過軸９０ｔは、第１の実施形態と同様に、第１の軸Ｓ1に対して相対的に４５度の角度をなすように設定される（図１参照）。
【００８８】
このような構成の筐体３Ａを用いた液晶表示装置１は、入力機能を備えないことを除けば第１の実施形態と同様に動作する。すなわち、筐体３Ａを第１の閉位置とする第１観察モードにおいては、液晶パネル４の表示を筐体３Ａを通して観察できるとともに、この状態で照明装置６を非発光とすればミラーモードに移行することができる。また、筐体３Ａを開位置とする第２観察モードにおいては、液晶パネル４の表示を直接観察できるとともに、筐体３Ａ自体は鏡として機能する。また、筐体３Ａを第２の閉位置とするミラーモードにおいては、液晶パネル４の表示光の有無に関わらず液晶表示装置１を鏡として使用することができる。
【００８９】
したがって、本変形例の場合でも、筐体３Ａを第１の閉位置と第２の閉位置との間で変位させることにより、照明装置６が発光して表示光がある場合であっても、容易に観察モードとミラーモードとを切り替えることができる。
【００９０】
第２の筐体は、上記以外にも様々な態様とすることができる。具体的には、透光性を有する部材であれば、反射偏光子９０に重ねて種々の部材を配置することができる。例えば、第２の筐体には、反射偏光子９０とともに、上記したタッチパネル３１以外にも、保護ガラス、フロントライト、液晶パネル、位相差板、偏光板、紫外線吸収フィルム、視野角調整フィルム等が含まれていてもよい。また、これらと反射偏光子９０との積層の順序は、必要に応じて自由に定めることができる。
【００９１】
（変形例２）
上記実施形態においては、偏光板２８ａの透過軸２８ｔ及び反射偏光子９０の透過軸９０ｔはいずれも第１の軸Ｓ1に対して相対的に４５度の角度をなすように設定されているが、本発明はこれに限定する趣旨ではなく、透過軸２８ｔ，９０ｔは、第１の軸Ｓ1に平行な方向及び垂直な方向のいずれとも異なる向きに設定されていればよい。こうした構成においては、上記透過軸２８ｔ，９０ｔがなす相対角（２通りの相対角のうち、０度以上９０度以下のものを指す）は、タッチパネルモジュール３が第１の閉位置にある場合と第２の閉位置にある場合とで必ず異なるようになる。
【００９２】
ここで、照明装置６が発光して液晶表示モジュール２の表示が行われている状態でタッチパネルモジュール３を第１の閉位置と第２の閉位置との間で変位させると以下のようになる。すなわち、タッチパネルモジュール３が、上記相対角が大きくなる閉位置にあるときの表示は、上記相対角が小さくなる閉位置にあるときの表示より暗くなる。これは、偏光板２８ａを透過した表示光のより多くの成分が反射偏光子９０によって遮光（反射）されるためである。このとき、表示光による表示が暗くなる分、外光の反射光の視認性は向上するので、観察者はミラーモードとして認識する。これに対し、上記相対角が小さくなる閉位置での表示は相対的に明るくなるので、観察者はこの状態を観察モードとして認識する。このように、観察者は、第２の筐体を第１の閉位置と第２の閉位置との間で変位させることによって、表示光の有無に関わらず容易に観察モードとミラーモードとを切り替えることができる。
【００９３】
ここで、第１の閉位置における上記相対角と第２の閉位置における上記相対角との差は、より大きいことが好ましく、理想的には相対角の差は９０度となるのが好ましい。相対角の差が９０度に近付くほど、観察モードとミラーモードとの機能の差が明らかとなり、メリハリのある表示を行うことができる。すなわち、観察モードにおいては上記相対角が略０度となり、液晶パネル４による表示をより鮮明に視認することができる。そして、ミラーモードにおいては上記相対角が略９０度となって、表示光が遮断されて外光の反射光の視認性が向上する。
【００９４】
（変形例３）
本発明は、上記実施形態に示した液晶表示装置１以外にも、表示面側に偏光板を有する電気光学パネルを備えた種々の電気光学装置に適用することができる。例えば、外光反射の低減等の目的で表示面側に偏光板が配置された有機ＥＬ（Electro Luminescence）パネルを備えた有機ＥＬ装置等に適用することができる。
【図面の簡単な説明】
【００９５】
【図１】本発明の電気光学装置としての液晶表示装置の斜視図（第１の閉状態）。
【図２】本発明の電気光学装置としての液晶表示装置の斜視図（開状態）。
【図３】本発明の電気光学装置としての液晶表示装置の斜視図（開状態）。
【図４】本発明の電気光学装置としての液晶表示装置の斜視図（開状態）。
【図５】本発明の電気光学装置としての液晶表示装置の斜視図（第２の閉状態）。
【図６】図１の液晶表示装置で用いられる液晶表示モジュールを分解状態で示す斜視図。
【図７】図１の液晶表示装置で用いられるタッチパネルモジュールを分解状態で示す斜視図。
【図８】図７のＥ−Ｅ線に従った断面図。
【図９】（ａ）及び（ｂ）は、液晶表示装置の表示機能を説明するための模式図。
【図１０】液晶表示装置の表示機能を説明するための模式図。
【図１１】本発明に係る電子機器の一実施形態を示すブロック図。
【図１２】図１１に示す電子機器の一例としての携帯情報端末機の斜視図であって、（ａ）は開状態を示し、（ｂ）は閉状態を示す。
【図１３】本発明の変形例に係る第２の筐体の断面図。
【符号の説明】
【００９６】
１…電気光学装置としての液晶表示装置、２…第１の筐体としての液晶表示モジュール、３…第２の筐体としてのタッチパネルモジュール、３Ａ…第２の筐体としての筐体、４…電気光学パネルとしての液晶パネル、６…照明装置、１６…表示面、１９ａ…第１ブラケット、１９ｂ…第２ブラケット、２８ａ，２８ｂ…偏光板、２８ｔ…偏光板の透過軸、３１…入力手段としてのタッチパネル、４９…ヒンジ部、７０…電子機器としての携帯情報端末機、９０…反射偏光子、９０ｔ…反射偏光子の透過軸、Ｓ1…第１の軸、Ｓ2…第２の軸、Ｖｉ…入力領域、Ｖｏ…表示領域。
【図１】
2007304350.tif 000003
【図２】
2007304350.tif 000004
【図３】
2007304350.tif 000005
【図４】
2007304350.tif 000006
【図５】
2007304350.tif 000007
【図６】
2007304350.tif 000008
【図７】
2007304350.tif 000009
【図８】
2007304350.tif 000010
【図９】
2007304350.tif 000011
【図１０】
2007304350.tif 000012
【図１１】
2007304350.tif 000013
【図１２】
2007304350.tif 000014
【図１３】
2007304350.tif 000015